(57)【要約】【課題】  携帯して簡便に涼を取る手段として扇子、団扇、携帯用扇風機が提供されている。しかし、従来の方法では、風が拡散し露出している皮膚への送風であるので着衣の内側のように特定の箇所へ新鮮な外気を送風することができない。【解決手段】  筒状のハウジングに電池、モーター、ファンを収納し、ハウジングの側面や先端から送風できる機構である。着衣内に差し込みやすく、携帯に便利である。ファンカバーを回転式にすることで送風口の大きさを可変したり、先端に切り替えたりすることができる。熱線を装着することで温風送風も可能である。【選択図】  図２
2005337217.tif 000002
【特許請求の範囲】
【請求項１】
電池、モーターファンを筒状のハウジングに内蔵し、ファンをカバーで覆った構成であることを特徴とする携帯用送風機。
【請求項２】
回転軸に対して縦長のファンを斜めに装着したことを特徴とする請求項１に記載の携帯用送風機。
【請求項３】
ハウジングの片面が開放されていることを特徴とする請求項１及び２に記載の携帯用送風機。
【請求項４】
ハウジングに装着するカバーが回転式であり、送風口を調節できることを特徴とする請求項１、２及び３に記載の携帯用送風機。
【請求項５】
携帯用送風機の一部にクリップを装着したことを特徴とする請求項１、２、３及び４に記載の携帯用送風機。
【請求項６】
ハウジング内部に熱線を組み込んで温風を送風可能としたことを特徴とする請求項１、２、３、４及び５に記載の携帯用送風機。
【請求項７】
ハウジング表面に照明部品を組み込んで懐中電灯機能を付加したことを特徴とする請求項１、２、３、４、５及び６に記載の携帯用送風機。
【発明の詳細な説明】
【技術分野】
【０００１】  本発明は安全で携帯に便利な小型送風機に関している。
【背景技術】
【０００２】  暑いときに涼を取る手段には、扇子、団扇、扇風機、冷風扇、クーラー等が使用されている。電源が用意され、固定の場所で涼を取るには扇風機、冷風扇、クーラー等が適している。しかし、戸外やクーラーの効き目が不十分な際には、扇子や団扇を使用している。扇子や団扇は自分の手で扇ぐ必要があるので、手が疲れる。そこで、従来の扇風機を小型化し、電池駆動とした携帯用扇風機が市販されている。ファンに軟質のプラスチックを使用し、ファンカバーを装着していないファンが露出している製品が主流である。
温風に関しては、携帯用ドライヤーが市販されているが、コンセントに差し込んで使用するものであり、電池使用の温風送風機はない。
【発明の開示】
【発明が解決しようとする課題】
【０００３】  扇風機、冷風扇、クーラー等が設置されている場所では、涼を取ることができるが、外出先や移動中には使用することができない。
扇子は軽量で折り畳むことができるので小型になり、携帯に非常に便利な道具である。しかし、自分の手を動かして風を生ずるようにする必要があり、手を休めると風は生じなくなる不便さがある。風量も限られていて、電車の中や劇場等で使用されることが多い。
団扇は扇子のように折り畳むことができないので携帯に不便であり、家の中や近所で使用されたり、会合で主催者が用意したりしている。団扇も手で風を起こすので、手が疲れる欠点がある。
そこで、自動的に風を起こすため、扇風機を携帯できる程度に小型化して電池駆動とした製品が提供されるようになった。しかし、風を起こす方法と形状が従来の扇風機を踏襲しているため、携帯に適した形状でなく、人込みにおいては他人に危害を与える危険性もあり、手軽に使用することもできない。涼しさを感ずるには着衣の内部に送風する必要があるが、従来の携帯用扇風機は着衣内部深くに風を送り込むことができない。
【課題を解決するための手段】
【０００４】  本発明においては、コンパクトで携帯に便利な形状であり、安全に使用でき、使用中に周囲に迷惑を及ぼさず、着衣内部の風を送りたい場所へ、自由に的確に送風できる携帯用送風機を提供しようとするものである。
電池、モーター、ファンを収納するハウジングは筒状になっている。ハウジングの根元に乾電池を収納してモーター電源としている。モーター軸の先端にファンの回転軸を嵌着する。ハウジングに軸受けを装着してファンの回転軸を根元と先端で支持している。ファンは長方形であり、回転軸に対し斜めに装着することで風量を増加させる手段を用いている。ファンの回転による危険を防御するためハウジングのファン部分にカバーを被せ、一部を網目やルーバーとすることで、風の流れを一定方向にするようにしている。
ファンカバーを可動式にして送風口のサイズの加減や、ハウジング先端からの送風を可能としている。また、正逆回転スイッチを装着することで送風口から風を取り込み、吸気口側へ送風するような指向性を持たせることも可能である。モーターの回転速度を可変させることで、風量の調節をすることも可能である。モーターの回転を制御するために、スイッチをハウジングの外側に設けている。設置場所は特定していないが、ハウジングの根元に回転式のスイッチを設ける方法や乾電池収納箇所の部分にスライド式のスイッチを設ける方法もある。乾電池に替え、充電式電池、振動付加により発電する機構及び蓄電器等各種の電源の利用が考えられる。【０００５】  また、本発明の携帯用送風機に熱線を組み込むことでマニュキアや濡れた部分をスポットで乾燥させたり、暖房効果を求めたりすることができる。豆電球やＬＥＤのような照明具を装着することで懐中電灯としての効果を付与することができる。
【発明の効果】
【０００６】  本発明の効果は下記の通りである。
【イ】
コンパクトであり、筒状なので携帯に便利である。
【ロ】
安全に多目的な使用ができる。
【ハ】
ポケット、カバン、ハンドバック等に収納できる。
【ニ】
満員電車の中でも、他人に迷惑をかけずに使用できる。
【ホ】
ズボン、裾の中等に差し込んで着衣内部に外気を送風することができる。
【ヘ】
音が静かで、風量があり、任意の場所や方向へ送風できる。
【ト】
温風を送風することもできる。
【チ】
懐中電灯の役割を果たすこともできる。
【リ】
マニュキアを乾かしたり、衣服の濡れた場所を部分を乾かせる。
【ヌ】
量産可能で、保管や運搬経費が少なくて済む。
【発明を実施するための最良の形態】
【０００７】  本発明の携帯用送風機は筒状であることが特徴であり、モーターを作動させるための電源に乾電池を使用しているが、充電式電池や他の種類の電池、或いはアダプターを利用してコンセントを利用するようにすることもできる。また、クリップを装着してポケットに差し込んで携帯するようなことも可能である。モーターには正逆転、変速ギア機構を具備することができる。
【実施例１】
【０００８】以下、本発明の実施例について説明する。図１、図２では本発明の携帯用送風機の構造を説明している。ハウジング（１）には電池（２）、モーター（３）、回転軸（４）、ファン（５）が収納され、軸受け（６）、（７）及びスイッチ（８）が装着されている。ハウジング（１）の表面には電池カバー（９）、側面のファンカバー（１１）が被せてある。ファンカバー（１１）は網目やルーバーになっていて外部からファン（５）に触れることのないように保護している。スイッチ（８）を入れると電源である電池（２）からの回線が接続され、モーター（３）を作動させる。モーター（３）の回転はモーター（３）の軸に嵌着された回転軸（４）を回転させる。回転軸（４）は両端をハウジング（１）に装着された軸受け（６）、（７）で回転自在に固定されている。ハウジング（１）先端の軸受け（７）は枠（１０）で固定されている。回転軸（４）にはファン（５）が複数枚固着されている。このファン（５）の形状にねじれを与えたり、回転軸（４）に対して斜めに装着したりすることで、風量が増加する。ファン（５）を回転させると涼風が生ずる。従来の携帯用扇風機と異なって、ファン（５）の形状が細長くなっているので携帯が便利であり、多様な使用方法が可能になる。モーター（３）はハウジング（１）内に固着され、電池（２）は交換を容易にするため、電池カバー（９）で覆われている。ファン（５）はハウジング（１）に装着する取り外し可能な網目やルーバー状のファンカバー（１１）で覆われている。スイッチ（８）は電池（２）収納箇所のハウジング（１）外部に装着されている。吸気口（１２）より取り込んだ空気をファン（５）で送風するため、吸気口（１２）を手元にすれば着衣の内部にハウジング（１）の先端を差し込んでも新鮮な外気を着衣内に送風することができる。【０００９】  図３はファンを先端から見た状態を示している。４枚のファン（５）が回転軸（４）に装着されているが、ファン（５）の枚数は限定されたものでない。
【実施例２】
【０００１０】  図４はファンカバーを回転式にした各部品を示している。ハウジング（１）のファン（５）を覆うファンカバー（１１）は側面の一部が縦に開放されてルーバーを装着した形状で、ハウジング（１）に回転自在に被せることにより送風口のサイズをファンカバー（１１）を回転させることで調節できる。ハウジング（１）の上端には軸受け（７）が枠（１０）で装着されている。図５ではファンカバー（１１）を回して送風口を一杯に開いた状態を示し、図６ではファンカバー（１１）を回して送風口を絞った状態を示している。ファンカバー（１１）を回して側面の送風口を密閉すると、吸気口（１２）より吸入された空気は、ハウジング（１）の先端より排気されることになり、強い風を先端より送出することができる。また、モーター（３）を逆回転させると、ハウジング（１）の先端より着衣内の熱気を吸気し、吸気口（１２）より排気することもできる。
【実施例３】
【０００１１】  図７ではモーターの回転軸に直接ファンを装着し、ハウジングの先端を長くした構成の  携帯用送風機である。送風するためのファン（５）がモーター（３）の回転軸に装着されているので部品の節約になり、ハウジング（１）の先端部より排気することができる。図８のようにハウジング（１）の上端を開閉できるようにスライド式蓋（１３）を装着することで、風の吹出し口の状態を変化させることができる。
【実施例４】
【００１２】  図９は本発明になる携帯式送風機にクリップを装着した状態を示している。ハウジング（１）にクリップ（１４）を装着することで、背広のポケットやハンドバック、カバン等に収納しやすくなり、携帯に便利になる。
【図面の簡単な説明】
【００１３】
【図１】本発明の携帯用送風機の説明図である。
【図２】本発明の携帯用送風機の一部を切欠した斜視図である。
【図３】ファンを先端より見た平面図である。
【図４】回転式ファンカバーの構造を示す斜視図である。
【図５】回転式ファンカバーの断面図である。
【図６】回転式ファンカバーの断面図である。
【図７】モーターの回転軸に直接ファンを装着した状態を示す説明図である。
【図８】スライド式蓋を装着した携帯用送風機の断面図である。
【図９】ハウジングにクリップを装着した状態を示す側面図である。
【符号の説明】
【００１４】        １  ハウジング
２  電池
３  モーター
４  回転軸
５  ファン
６、７  軸受け
８  スイッチ
９  電池カバー
１０  枠
１１  ファンカバー
１２  吸気口
１３  スライド式蓋
１４  クリップ
【図１】
2005337217.tif 000003
【図２】
2005337217.tif 000004
【図３】
2005337217.tif 000005
【図４】
2005337217.tif 000006
【図５】
2005337217.tif 000007
【図６】
2005337217.tif 000008
【図７】
2005337217.tif 000009
【図８】
2005337217.tif 000010
【図９】
2005337217.tif 000011